(57)【要約】【課題】エレベーター装置の大型化を防止しつつ、作業に必要な足場を確保する。【解決手段】エレベーター装置１は、透明部材からなる透明部４５を有し、昇降路２内を昇降する乗りかご４と、乗りかご４の上面部４１に設けられた上収納部４６と、乗りかご４の下面部４２に設けられた下収納部５０と、上作業台１００と、下作業台２００と、を備える。上作業台１００は、上収納部４８に、上面部４２の延在方向に摺動可能に係合し、上収納部４８に収納された収納状態と、上収納部４８から露出した露出状態に設定可能である。下作業台２００は、下収納部５０に、下面部４２の延在方向に摺動可能に係合し、下収納部５０に収容された収納状態と、下収納部５０から露出した露出状態に設定可能である。【選択図】図２
2014114146.tif 000002
【特許請求の範囲】
【請求項１】
透明部材からなる透明部を有し、昇降路内を昇降するかごと、
前記かごの上部又は底部に設けられる収納部と、
前記収納部に、前記かごの上部又は底部の延在方向に摺動可能に係合し、前記収納部に収納された収納状態と、前記収納部から露出した露出状態と、に設定可能である作業台と、を備えた
エレベーター装置。
【請求項２】
前記収納部は、前記かごの底部に設けられ、
前記露出状態の作業台を上下方向に案内するガイド部を備える
請求項１に記載のエレベーター装置。
【請求項３】
前記収納状態の前記作業台は、前記透明部を覆わない
請求項１に記載のエレベーター装置。
【請求項４】
前記収納部は、上下方向に延びる回転軸を中心に回転可能に設けられている
請求項１に記載のエレベーター装置。
【発明の詳細な説明】
【技術分野】
【０００１】
本発明は、エレベーター装置に関し、特に作業者が足場とする作業台を有するエレベーター装置に関するものである。
【背景技術】
【０００２】
一部がガラスなどの透明部材で形成され、乗員が外の景色を眺めることを可能とする、いわゆる展望用のエレベーターが知られている。このようなエレベーターの点検や清掃作業（以下、メンテナンスと称する場合がある）の際に、作業者がガラスで形成されている部分を足場として利用すると、ガラスに傷がついたり、割れてしまったりする。したがって、ガラスを保護しつつ、メンテナンスに必要な足場を確保するため、エレベーターを設置する建屋側にメンテナンス用の作業台を設置することが行われている。
【０００３】
しかし、建屋側にメンテナンス用の作業台を設置するためのスペースがない場合、メンテナンスに必要な足場を確保することができない。そこで、乗りかごにメンテナンス用の作業台を設けたエレベーター装置が提案されている。
【０００４】
特許文献１には、かご室を有し、そのかご室の少なくとも天井の一部を含む外壁が透明部材からなる透明部となっている展望エレベーターが記載されている。この展望エレベーターは、かご室における天井の上に起伏動可能に作業台を設け、この作業台をエレベーターの運転時には起立させて透明部から離反させる。また、この展望エレベーターは、メンテナンス等の作業時には、この作業台を倒伏させてその透明部を覆い、かご室における天井上の作業員の移動可能な領域を拡張させる。
【先行技術文献】
【特許文献】
【０００５】
【特許文献１】特許第４６１９０１６号公報
【発明の概要】
【発明が解決しようとする課題】
【０００６】
しかし、特許文献１の展望エレベーターでは、展望エレベーターの運転時には作業台を起立させることから、展望エレベーターの上下方向の大きさが、作業台によって拡大されてしまう。
【０００７】
本発明は、上記実情に鑑みてなされたものであり、エレベーター装置の大型化を防止しつつ、メンテナンスに必要な足場を確保することができるエレベーター装置を提供することをその目的とする。
【課題を解決するための手段】
【０００８】
上記目的を達成するため、本発明のエレベーター装置は、かごと、作業台と、収納部と、を備える。かごは、透明部材からなる透明部を有し、昇降路内を昇降する。収納部は、かごの上部又は底部に設けられる。作業台は、収納部に、かごの上部又は底部の延在方向に摺動可能に係合し、収納部に収納された収納状態と、収納部から露出した露出状態と、に設定可能である。
【０００９】
本発明のエレベーター装置では、作業台を、かごの上部又は底部の延在方向に摺動させて、収納部から露出した露出状態に設定することで、作業に必要な足場を確保することができる。また、エレベーター装置の稼動時など足場が不要なときは、作業台を、かごの上部又は底部の延在方向に摺動させて収納部に収納して、収納状態に設定することできる。このため、エレベーター装置の大型化を防止することができる。
【発明の効果】
【００１０】
本発明によれば、エレベーター装置の大型化を防止しつつ、メンテナンスに必要な足場を確保することができる。
【図面の簡単な説明】
【００１１】
【図１】本発明の実施形態に係るエレベーター装置の模式図である。
【図２】エレベーター装置の乗りかごを示す斜視図である。
【図３】エレベーター装置の下作業台を示す斜視図である。
【図４】図３のＸ−Ｘ線断面図である。
【図５】図１のエレベーター装置の作用を説明する斜視図である。
【図６】図５のＹ−Ｙ線断面図である。
【図７】上作業台を回転させ、下作業台を上方へ移動させた状態のエレベーター装置の斜視図である。
【図８】図７のエレベーター装置の要部拡大図である。
【発明を実施するための形態】
【００１２】
以下、本発明の実施形態に係るエレベーター装置１について、図１〜図８を参照して説明する。説明は以下の順序で行う。
１．エレベーター装置１の構成の概要
２．上作業台（第１の作業台）の構成
３．下作業台（第２の作業台）の構成
４．エレベーター装置１の作用
なお、各図において共通の部材には、同一の符号を付している。
【００１３】
＜エレベーター装置１の構成の概要＞
まず、図１及び図２を参照して、エレベーター装置１の構成の概要について説明する。
図１は、エレベーター装置１の模式図である。図２は、エレベーター装置１の乗りかご４を示す斜視図である。
【００１４】
図１に示すように、エレベーター装置１は、建物内に形成された昇降路２内に設置されたガイドレール３に沿って昇降路２内を昇降する乗りかご４と、乗りかご４に対して主ロープ５を介して連結された釣合錘６と、を備えている。昇降路２の一部（乗りかご４の後述する透明部４５に対向する部分）は、ガラスなどの透明部材で形成されている。
以下の説明において、昇降路２の底部と平行な平面における１方向をＸ方向と称し、同平面上においてＸ方向に直交する方向をＹ方向と称し、また、Ｘ方向及びＹ方向に直交する方向をＺ方向（上下方向）と称する。
【００１５】
また、エレベーター装置１は、主ロープ５が巻き掛けられた巻上機７と、巻上機７の駆動を制御する制御盤８と、を備えている。
巻上機７及び制御盤８は、昇降路２に形成された機械室２１内に配置されている。
【００１６】
乗りかご４は、略直方体状に形成されている。また、乗りかご４は、略正方系形の平板状に形成された上面部４１及び下面部４２を備えている。本実施形態では、上面部４１が乗りかご４の上部を形成し、下面部４２が乗りかご４の底部を形成している。
また、乗りかご４は、上面部４１及び下面部４２の外縁部をそれぞれ連結する４つの側面部４３ａ，４３ｂ，４３ｃ，４３ｄを備えている。以下の説明において、側面部４３ａ，４３ｂ，４３ｃ，４３ｄを側面部４３と総称する場合がある。
【００１７】
主ロープ５に連結されたエレベーター装置１の上面部４１と下面部４２は、Ｚ方向に所定の距離を空けて、平行に対向する。また、側面部４３ａと側面部４３ｃは、Ｘ方向に所定の距離を空けて平行に対向し、側面部４３ｂと側面部４３ｄは、Ｙ方向に所定の距離を空けて平行に対向する。
【００１８】
上面部４１、下面部４２及び側面部４３は、乗りかご４の内部に、かご室（図示省略）を形成する。
側面部４３ａには、かご室に連通し、エレベーター装置１の乗員が出入りする出入口（図示省略）が形成されている。側面部４３ａには、出入口を塞ぐドア部４４が設けられている。以下の説明において、乗りかご４のＸ方向における中心から側面部４３ａ側を乗りかご４の前側と称し、その反対側を後側と称する場合がある。
【００１９】
図２に示すように、乗りかご４には、透明部材、本実施形態ではガラスからなる透明部４５が形成されている。なお、透明部材としてガラスに代えて他の光を透過する部材、例えば透明樹脂を用いてもよい。
【００２０】
透明部４５は、上面部４１の一部を形成する上面透明部４５ａと、側面部４３ｂ，４３ｃ，４３ｄの一部を形成する側面透明部４５ｂ，４５ｃ，４５ｄによって構成されている。側面透明部４５ｃは、略正方形の平板状に形成され、側面部４３ｃの上端部から下端部近傍までを形成している。
【００２１】
側面透明部４５ｂ，４５ｄは、縦長の略矩形平板状に形成され、側面部４３ｂ，４３ｄのＸ方向の略中央部から側面部４３ｃ側の端部（後端部）までを形成している。側面部４３ｂ，４３ｄの側面部４３ｃ側の端部（後端部）は、側面透明部４５ｃのＹ方向の両端部に接合されている。
【００２２】
上面透明部４５ａは、横長の略矩形平板状に形成され、上面部４１のＸ方向の略中央部から側面部４３ｃ側の端部（後端部）までを形成している。上面透明部４５ａのＹ方向の両端部は、側面透明部４５ｂ，４５ｄの上端部に接合され、Ｘ方向の側面部４３ｃ側の端部（後端部）は、側面透明部４５ｃの上端部に接合されている。
【００２３】
エレベーター装置１の乗員は、透明部４５及び昇降路２を介して、エレベーター装置１外を展望することができる。すなわち、本実施形態のエレベーター装置１は、いわゆる展望用エレベーター装置である。
【００２４】
乗りかご４の下面部４２には、外装パネル４６が設けられている。外装パネル４６は、下面部４２の後側を覆って乗りかご４を装飾するために用いられる部材である。外装パネル４６は、大パネル４６１と、２つの小パネル４６２と、から構成されている。
【００２５】
大パネル４６１は、横長の略区形平板状に形成され、上端部が下面部４２の下面における側面部４３ｃ側の端部（後端部）に接合されている。２つの小パネル４６２は、横長の略区形平板状に形成され、上端部が下面部４２の下面におけるＹ方向の両端部にそれぞれ接合されている。小パネル４６２の互いに対向する側面部（内側の側面部）には、上下方向に延びるガイドレール４６３が形成されている。
【００２６】
大パネル４６１のＹ方向の長さは、側面部４３ｃのＹ方向の長さより短く設定されている。したがって、大パネル４６１のＹ方向の両端部と、２つの小パネル４６２の側面部４３ｃ側の端部（後端部）との間には、所定の隙間Ｓが形成されている。
【００２７】
上面部４１における側面部４３ａ側（前側）には、第１の作業台としての上作業台１００を収納する上収納部４８が設けられている。上収納部４８及び上作業台１００の構成については、後述する。
乗りかご４の下部には、第２の作業台としての下作業台２００を収納する下収納部５０が設けられている。下収納部５０及び下作業台２００の構成については、後述する。
【００２８】
＜２．上作業台１００の構成＞
次に、図２を参照して、上作業台１００の構成について説明する。
図２に示すように、上作業台１００は、Ｙ方向に長い略矩形平板状に形成されている。上作業台１００の互いに対向する長辺部の長さは、上面部４１のＹ方向の長さよりもやや短く設定されている。また上作業台１００の互いに対向する短辺部の長さは、上面部４１のＸ方向における側面部４３ａ側の端部（前端部）から上面透明部４５ａの前端部までの長さと略等しく設定されている。
【００２９】
上作業台１００は、上面部４１の前側に設けられている上収納部４８に支持されている。上収納部４８は、略矩形平板状の平板部４８１と、平板部４８１の長手方向の両端部に設けられた２つの上支持部４８２と、を有している。
【００３０】
平板部４８１の互いに対向する長辺部の長さは、上面部４１のＹ方向の長さと略等しく設定されている。また平板部４８１の互いに対向する短辺部の長さは、上作業台１００の短辺部の長さと略等しく設定されている。
【００３１】
平板部４８１の中心には、下方向に突出する回転軸４８３が設けられている。回転軸４８３は、上面部４１の軸受け部（図示省略）に回転可能に係合している。したがって、上収納部４８は、乗りかご４に回転可能に支持されている。
【００３２】
上支持部４８２は、略直方体状に形成されている。上支持部４８２は、平板部４８１の長手方向の両端部に設けられている。
上支持部４８２の上面部及び下面部は、略矩形状に形成されており、互いに対向する長辺部の長さは、平板部４８１の短辺部の長さに略等しく設定されている。
【００３３】
上支持部４８２の互いに対向する側面には、平板部４８１の長手方向に凹む凹部４８４が上支持部４８２の長手方向に亘って形成されている。凹部４８４には、上作業台１００の長手方向の両端部が摺動（スライド）可能に係合している。これによって、上収納部４８は、上作業台１００を、上作業台１００が上面部４１の延在方向に摺動可能となるように支持している。
【００３４】
上作業台１００は、平板部４８１を上方から覆うように上収納部４８に収納されている。このように上作業台１００が、上収納部４８に収容されて、上面透明部４５ａを覆わない（対向しない）状態を上作業台１００の収納状態と称する。
【００３５】
＜３．下作業台２００の構成＞
次に、図３及び図４を参照して、下作業台２００について説明する。
図３は、下作業台２００の斜視図である。図４は、図３のＸ−Ｘ線断面図である。なお、図３においては、外装パネル４６と下作業台２００の一部を仮想線（２点鎖線）で示している。
【００３６】
図３に示すように、下作業台２００は、作業台本体２１０と、高さ調節機構２２０と、を有している。下作業台２００は、小パネル４６２の下部に設けられている下支持部４９にＸ方向に摺動（スライド）可能に支持されている。
【００３７】
下支持部４９は、略直方体状に形成されている連結部４９１と、連結部４９１の下端部からＹ方向に曲折して内側に延びる延出部４９２と、を有している。連結部４９１の上面部は、小パネル４６２の下面部と略同一の形状をしている。連結部４９１の上面部は、小パネル４６２の下面部に接着剤で接着され、または、ボルト締結されることによって、固定されている。なお、下支持部４９と小パネル４６２とを一体的に形成してもよい。
【００３８】
連結部４９１の内側の側面部には、Ｘ方向に沿ってガイドレール４９３が形成されている。ガイドレール４９３のＸ方向の一端部は上方へ曲折するように形成されており、小パネル４６２の側面部の内側に形成されたガイドレール４６３に接続されている。
延出部４９２は、略矩形平板状に形成され、上面にＸ方向に延びるガイドレール４９４（図４参照）が形成されている。また、延出部４９２の上面部は、下面部４２とＺ方向に平行に対向している。
【００３９】
作業台本体２１０は、略矩形平板状に形成された上面部２１１と、上面部２１１の外縁部から鉛直方向に延びる側面部２１２と、を有している。
【００４０】
側面部２１２は、上面部２１１の互いに対向する一方の長辺部の外延部から鉛直方向に延びる側面部２１２ａと、他方の長辺部から鉛直方向に延びる側面部２１２ｃと、を有している。また、側面部２１２は、側面部２１２ａ及び側面部２１２ｃのＹ方向の端部を連結し、互いに対向する側面部２１２ｂ及び側面部２１２ｄを有している。側面部２１２ｂ，２１２ｄの下端部は、延出部４９２の上面部に摺動（スライド）可能に載置される。
【００４１】
側面部２１２ａのＹ方向の両端部には、Ｘ方向に突出する突出部２１３が設けられている。突出部２１３のＹ方向の長さは、大パネル４６１と小パネル４６２との間の所定の隙間Ｓの長さよりもやや短く設定されている。
【００４２】
側面部２１２ｂ及び側面部２１２ｄの側面部２１２ａ側の端部には、Ｙ方向に突出する棒状の突出ピン２１４が設けられている。突出ピン２１４は、下支持部４９のガイドレール４９３に係合している。また、突出ピン２１４の先端には、出没自在に設けられた爪部（図示省略）が設けられている。突出ピン２１４の爪部を、ガイドレール４９３に接続されている小パネル４６２のガイドレール４６３の任意の位置で出すことによって、突出ピン２１４を小パネル４６２に移動不能に固定することができる。
また、側面部２１２ｂ及び側面部２１２ｄには、Ｙ方向に貫通する係合孔２１５が設けられている。この係合孔２１５は、側面部２１２ｂ及び側面部２１２ｄにおける側面部２１２ｃ側の端部から略中央部まで形成されている。
【００４３】
高さ調節機構２２０は、作業台本体２１０の内側に収容されている。高さ調節機構２２０は、第１可動部２２１と、第２可動部２３０と、を有している。第１可動部２２１は、略直方体状に形成されている第１可動部本体２２２と、第１可動部本体２２２よりもＺ方向の長さが短い（高さが低い）略矩形平板状に形成された補強部２２３と、を有している。
【００４４】
第１可動部本体２２２のＸ方向の一端部は、第１可動部本体２２２の下面と補強部２２３の下面とが面一となるように、補強部２２３に連続している。このため、第１可動部２２１の一端部には、段部２２５が形成されている。
【００４５】
第１可動部２２１の下面部は、延出部４９２のガイドレール４９４に係合しており、第１可動部２２１は、Ｘ方向に移動可能に下支持部４９に支持されている。
第１可動部本体２２２のＸ方向の他端部には、第２可動部２３０の後述する回転軸２３２を軸支する軸受け部２２４が設けられている。
【００４６】
軸受け部２２４は、回転軸２３２を図３に示すＲ方向に回転可能に軸支している。一方で、軸受け部２２４は、回転軸２３２がＲ方向に対して逆方向に回転することを規制し、軸受け部２２４に設けられた解除ボタン（図示省略）が作業者により操作（押下）された場合のみ、逆方向への回転を許容する。
【００４７】
第２可動部２３０は、略矩形平板状に形成された第２可動部本体２３１と、第２可動部本体２３１のＸ方向の一端部に設けられた回転軸２３２と、第２可動部本体２３１の他端部に設けられ、Ｙ方向に突出する棒状の係合ピン２３３と、を有している。係合ピン２３３は、作業台本体２１０の係合孔２１５に係合している。係合ピン２３３の先端には、出没自在に設けられた爪部（図示省略）が設けられている。係合ピン２３３の爪部を、係合孔２１５の任意の位置で出すことによって、係合ピン２３３を作業台本体２１０の側面部２１２ｂ，２１２ｄに移動不能に固定することができる。
【００４８】
延出部４９２に作業台本体２１０の側面部２１２ｂ，２１２ｄの下端部が載置されると、作業台本体２１０は、外装パネル４６及び下支持部４９で区画される空間内に収容される。この下作業台２００の状態を、下作業台２００の収納状態と称する。したがって、外装パネル４６及び下支持部４９は、下作業台２００を収納する下収納部５０を構成する。
【００４９】
＜４．エレベーター装置１の作用＞
次に、本実施形態におけるエレベーター装置１の作用について、図５〜図８を参照して、説明する。
図５は、エレベーター装置１の作用を説明する斜視図である。図６は、図５のＹ−Ｙ線断面図である。図７は、上作業台１００を回転させ、下作業台２００を上方へ移動させた状態のエレベーター装置１の斜視図である。図８は、図７のエレベーター装置１の要部拡大図である。
【００５０】
メンテナンスに必要な足場を確保する際、作業者によって、上収納部４８に収納された上作業台１００が、出入口が形成された側面部４３ａから離れる方向に引き出されると、上作業台１００は、凹部４８４に沿って、上面部４１の延在方向に摺動する。そして、上作業台１００は、図５に示すように、上収納部４８内から露出される。ここで、上作業台１００が上収納部４８から露出した状態を、上作業台１００の露出状態と称する。このように、上収納部４８に支持されている上作業台１００は、収納状態と、露出状態とに設定可能である。
【００５１】
露出状態の上作業台１００は、上面透明部４５ａを上方から覆って、上面透明部４５ａとＺ方向に対向している。
【００５２】
また、下収納部５０に収容された下作業台２００の作業台本体２１０が、作業者によって、出入口が形成された側面部４３ａから離れる方向に引き出されると、側面部２１２ａが高さ調節機構２２０の段部２２５に係合する（図６参照）。そして高さ調節機構２２０は、側面部２１２ａに押圧され、延出部４９２のガイドレール４９４にガイドされて移動する。
【００５３】
また、延出部４９２の上面部に載置されている作業台本体２１０の側面部２１２ｂ，２１２ｄが、延出部４９２の上面部上を摺動する。また、作業台本体２１０の突出ピン２１４は、下支持部４９のガイドレール４９３にガイドされて移動する。
このように、下作業台２００が、延出部４９２に沿って、乗りかご４の下面部４２の延在方向に摺動する。そして、図５に示すように、下作業台２００が下収納部５０内から露出する。ここで、下作業台２００が下収納部５０から露出した状態を、下作業台２００の露出状態と称する。このように、下支持部４９に支持されている下作業台２００は、収納状態と、露出状態とに設定可能である。
【００５４】
図６に示すように、露出状態に設定された下作業台２００の突出部２１３は、大パネル４６１と小パネル４６２との間の所定の隙間Ｓ内に配置される。
【００５５】
また、図７に示すように、回転軸４８３を中心に上収納部４８を、例えばＲ２方向に回転させて、上作業台１００を回転前の基準位置から回転位置に移動させることができる。なお、上収納部４８は、上作業台１００が収納状態又は露出状態のいずれの状態であっても、回転可能である。なお、回転方向はＲ２の逆方向であってもよい。
【００５６】
また、図７に示すように、露出状態の下作業台２００を上方へ移動させることができる。図８に示すように、作業台本体２１０を水平に保ったまま上方へ移動させると、第２可動部２３０の係合ピン２３３は、側面部２１２ｂ，２１２ｄの係合孔２１５を区画する内縁を摺動して係合孔２１５内を移動する。この移動に伴い第２可動部本体２３１及び回転軸２３２がＲ方向に回動する。そして、係合ピン２３３の爪部を係合孔２１５の任意の位置で出すと、係合ピン２３３が側面部２１２ｂ，２１２ｄに移動不能に固定される。また、作業台本体２１０を水平に保ったまま上方へ移動させると、作業台本体２１０の突出ピン２１４は、小パネル４６２のガイドレール４６３にガイドされて移動する。そして、突出ピン２１４の爪部をガイドレール４６３上の任意の位置で出すと、突出ピン２１４が小パネル４６２に移動不能に固定される。このように、作業台本体２１０を水平に保ったまま、下作業台２００を上方へ移動させることができる。なお、突出ピン２１４に爪部を設けることに代えて、大パネル４６１と小パネル４６２との間の所定の隙間Ｓに突出して、作業台本体２１０を支持する支持部を大パネル４６１又は小パネル４６２に設けてもよい。
【００５７】
また、メンテナンスが終了して足場が不要になったときは、露出状態の上作業台１００を、上収納部４８内に摺動させて収納し、収納状態に設定することができる。
また、上方へ移動させた下作業台２００を、下方へ移動させて、下収納部５０内に摺動させて収納し、収納状態に設定することができる。このとき、作業台本体２１０の側面部２１２ｃが第２可動部２３０の第２可動部本体２３１を押圧して、高さ調節機構２２０が、延出部４９２のガイドレール４９４にガイドされて、下収納部５０内に移動する。
【００５８】
本実施形態のエレベーター装置１では、上作業台１００及び下作業台２００を露出状態に設定することで、メンテナンスに必要な足場を確保することができる。また、足場が不要なときは、上作業台１００及び下作業台２００を収納状態に設定することできる。このため、エレベーター装置の大型化を防止することができる。
【００５９】
また、収納状態の上作業台１００は、乗りかご４の上面部４１の上面透明部４５ａ以外の部分を覆うように収納される。また、収納状態の下作業台２００は、エレベーター装置１外から看守されない。したがって、上作業台１００及び下作業台２００を乗りかご４に取り付けてもエレベーター装置１の見栄えは損なわれない。
【００６０】
また、連結部４９１の内側の側面部にガイドレール４９３が形成され、小パネル４６２の内側の側面部にガイドレール４６３が形成されている。このため、下作業台２００を移動させるためのガイドレール４６３及びガイドレール４９３は、エレベーター装置１外から看守されない。したがって、エレベーター装置１の見栄えは損なわれない。
【００６１】
また、回転軸４８３を中心に上収納部４８を回転させて、上作業台１００を回転前の基準位置から回転位置に移動させることができるので、足場の位置をメンテナンスに好適な位置に適宜調整することができる。
【００６２】
また、収納状態の上作業台１００は、上面透明部４５ａを覆わない（に対向しない）ので、エレベーター装置１の乗員は、上作業台１００に視界を遮られることなく、エレベーター装置１外を展望できる。
【００６３】
また、露出状態の下作業台２００を上方へ移動させることができるので、足場の高さをメンテナンスに好適な位置に適宜調整することができる。
【００６４】
以上、本発明のエレベーター装置の実施の形態について、その作用効果も含めて説明した。しかしながら、本発明は、上述の実施の形態に限定されるものではなく、特許請求の範囲に記載した発明の要旨を逸脱しない範囲内で種々の変形実施が可能である。
【００６５】
例えば、本実施形態では、乗りかご４に上作業台１００及び下作業台２００を設置した態様を説明した。しかし、上作業台１００又は下作業台２００のどちらか一方のみを設置してもよい。
【００６６】
また、外装パネル４６の設置を省略し、下支持部４９を乗りかご４の下面部４２に直接接合させてもよい。この場合、下支持部４９のみで、下収納部を形成する。
【符号の説明】
【００６７】
１…エレベーター装置、  ２…昇降路、  ３…ガイドレール、  乗りかご（かご）４、  ４１…上面部、  ４２…下面部、  ４３…側面部、  ４４…ドア部、  ４５…透明部、  ４６…外装パネル、  ４８…上収納部、  ４９…下支持部、  ５０…下収納部、  １００…上作業台１００、  下作業台…２００、  ２１０…作業台本体、    ２１１…上面部、  ２１２…側面部、  ２１３…突出部、  ２１４…突出ピン、  ２１５…係合孔、  ２２０…高さ調節機構、  ２２１…第１可動部、  ２２２…第１可動部本、  ２２３…補強部、  ２２４…軸受け部、  ２２５…段部、  ２３０…第２可動部、  
２３１…第２可動部本体、  ２３２…回転軸、  ２３３…係合ピン、  ４６１…大パネル、  ４６２…小パネル、  ４６３…ガイドレール、  ４８１…平板部、  ４８２…上支持部、  ４８３…回転軸、  ４８４…凹部、  ４９１…連結部、  ４９２…延出部、  ４９３…ガイドレール、  ４９４…ガイドレール 
【図１】
2014114146.tif 000003
【図２】
2014114146.tif 000004
【図３】
2014114146.tif 000005
【図４】
2014114146.tif 000006
【図５】
2014114146.tif 000007
【図６】
2014114146.tif 000008
【図７】
2014114146.tif 000009
【図８】
2014114146.tif 000010